(57)【要約】【課題】  本発明の課題は、簡易な構成でバリアフリーに対応できる画像形成装置を得ることである。【解決手段】  原稿を読み取る画像読取装置５と画像形成装置本体３とを備え、画像読取装置５と画像形成装置本体３とは一体に設けられており、画像形成装置本体３の側面には係合部１１が設けられており、画像読取装置５には係合部９に係合する被係合部１１が設けられており、画像読取装置５を画像形成装置本体３から分離し、係合部９に被係合部１１を係合して画像読取装置５を画像形成装置本体３の側面に取り付けるようにしている。【選択図】      図１
2006113422.tif 000002
【特許請求の範囲】
【請求項１】
原稿を読み取る画像読取装置と画像形成装置本体とを備え、画像読取装置と画像形成装置本体とは一体に設けられており、画像形成装置本体の側面には係合部が設けられており、画像読取装置には係合部に係合する被係合部が設けられており、画像読取装置を画像形成装置本体から分離し、係合部に被係合部を係合して画像読取装置を画像形成装置本体の側面に取り付け可能になっていることを特徴とする画像形成装置。
【請求項２】
被係合部は画像読取装置内に対して進退自在に収納されており、被係合部を画像読取装置内から引き出し、係合部に被係合部を係合して画像読取装置を画像形成装置本体に取り付け可能となっていることを特徴とする請求項１に記載の画像形成装置。
【請求項３】
係合部は画像形成装置本体側面の上下方向に複数備えており、被係合部が係合する係合部の位置を変えて画像読取装置の高さを変更することを特徴とする請求項１に記載の画像形成装置。
【請求項４】
画像読取装置には脚が設けられており、脚は画像読取装置に対して進退自在に収納されており、脚は画像読取装置内から引き出し可能となっていることを特徴とする請求項１に記載の画像形成装置。
【請求項５】
脚は画像読取装置に対して伸縮自在になっており、脚を上下に伸縮して画像読取装置の高さを変えることを特徴とする請求項１に記載の画像形成装置。
【請求項６】
脚の下端にはキャスタが設けられていることを特徴とする請求項４又は５に記載の画像形成装置。
【発明の詳細な説明】
【技術分野】
【０００１】
本発明は、プリンタ、ファックス、複写機等の画像形成装置に関するものである。
【背景技術】
【０００２】
特許文献１には、原稿を読み取る画像読取装置と作像ユニット等を備える画像形成装置本体とを備えた画像形成装置が開示されている。
【０００３】
特許文献２には、画像読取装置が画像形成装置本体から分離して使用する技術が開示されている。
【０００４】
【特許文献１】特開２００３−３０２８０３号公報
【特許文献２】特開２００４−２５３９６４号公報
【発明の開示】
【発明が解決しようとする課題】
【０００５】
しかし、特許文献１に記載の従来技術は、画像読取装置は大人が操作し易い高さ位置に設けられているため、例えば背の低い小児や車椅子を利用している人などは、画像読取装置の高さに手か届き難く、スキャナでの読み取り操作やパネル操作がし難いという問題がある。
【０００６】
一方、特許文献２に記載の従来技術は、画像形成装置本体から分離した画像読取装置を置くためのテーブルを別途に用意する必要があり、画像読取装置の大きさや高さに合うテーブルを用意するのが難しいという問題がある。
【０００７】
本発明は、簡易な構成でバリアフリーに対応できる画像形成装置を得ることを目的とする。
【課題を解決するための手段】
【０００８】
前記課題を解決するために、請求項１に記載された発明は、原稿を読み取る画像読取装置と画像形成装置本体とを備え、画像読取装置と画像形成装置本体とは一体に設けられており、画像形成装置本体の側面には係合部が設けられており、画像読取装置には係合部に係合する被係合部が設けられており、画像読取装置を画像形成装置本体から分離し、係合部に被係合部を係合して画像読取装置を画像形成装置本体の側面に取り付け可能になっていることを特徴とする。
【０００９】
請求項２に記載された発明は、請求項１に記載の発明において、被係合部は画像読取装置内に対して進退自在に収納されており、被係合部を画像読取装置内から引き出し、係合部に被係合部を係合して画像読取装置を画像形成装置本体に取り付け可能となっていることを特徴とする。
【００１０】
請求項３に記載された発明は、請求項１に記載された発明において、係合部は画像形成装置本体側面の上下方向に複数備えており、被係合部が係合する係合部の位置を変えて画像読取装置の高さを変更することを特徴とする。
【００１１】
請求項４に記載された発明は、請求項１に記載された発明において、画像読取装置には脚が設けられており、脚は画像読取装置に対して進退自在に収納されており、脚を画像読取装置内から引き出し可能となっていることを特徴とする。
【００１２】
請求項５に記載された発明は、請求項１に記載された発明において、脚は画像読取装置に対して伸縮自在になっており、脚を上下に伸縮して画像読取装置の高さを変えることを特徴とする。
【００１３】
請求項６に記載された発明は、請求項４又は５に記載された発明において、脚の下端にはキャスタが設けられていることを特徴とする。
【発明の効果】
【００１４】
本発明によれば、画像読取装置を画像形成装置本体から切り離して、画像形成装置本体の隣りに画像読取装置を取り付けできるので、画像読取装置の高さを調整することができ、例えば背の低い子供や車椅子の利用者でも、画像読取装置の高さを低くすることで、画像読取装置のパネル操作やスキャナ操作が容易にできる。
【００１５】
画像形成装置本体に形成した係合部に被係合部を差し込むだけで画像読取装置を画像形成装置本体の隣りに設置できるので、別途にテーブルを用意する必要がなく、構成が簡易である。
【発明を実施するための最良の形態】
【００１６】
以下に、添付図面を参照して、本発明の実施の形態を詳細に説明する。図１は本実施の形態に係る画像形成装置全体を示す斜視図、図２は画像形成装置本体と画像読取装置とを分離して設置した状態を示す斜視図、図３は図１に示す画像読取装置の被係合部を示す斜視図、図４は図１に示す画像読取装置の脚を示す斜視図である。
【００１７】
本実施の形態に係る画像形成装置１は、給紙装置や画像形成部等を備える画像形成装置本体３と、画像形成装置本体３の上部に配置されスキャナや操作パネル１０等を備える画像読取装置５とを備えており、画像形成装置本体３と画像読取装置５とはケーブル７を介して電気的に接続されている。
【００１８】
画像形成装置本体３の側面には係合部９が設けられており、係合部９は上下に複数形成されている。画像読取装置５には係合部９に係合する被係合部１１が設けられており、被係合部１１は画像読取装置５に対して水平方向に進退自在になっている。尚、通常時には、係合部９にはキャップが取り付けられており、使用時にキャップを取り外して、係合部９に被係合部１１を係合させるようになっている。
【００１９】
画像読取装置５には伸縮自在な脚１３が設けられており、通常時には脚１３は画像読取装置５内に収納されており、画像読取装置５を画像形成装置本体３の隣に設置する際には、脚１３を画像読取装置５内から引き出すようになっている。
【００２０】
脚１３の下端にはキャスタ１５が設けられており、画像形成装置本体３と画像読取装置５とが一緒に移動できるようになっている。
【００２１】
次に、本実施の形態にかかる作用及び効果を説明する。画像読取装置５を画像形成装置本体３の側面に取り付ける場合には、画像読取装置５を画像形成装置本体３から取り外す。そして、画像読取装置５内から被係合部１１を水平に引き出し、所定位置の係合部９に被係合部１１を差し込んで、画像読取装置５を画像形成装置本体３の側面に取り付け、画像読取装置内から脚１３を引き出して設置が完了する。
【００２２】
画像読取装置５を元に戻す場合には、係合部９から被係合部１１の係合を外して被係合部１１を画像読取装置５内に退避させると共に、脚１３を画像読取装置５内に収納して画像読取装置５を画像形成装置本体３の上部に載置して、画像読取装置５を画像形成装置本体３に装着する。
【００２３】
本実施の形態によれば、画像読取装置５を画像形成装置本体３から切り離して、画像形成装置本体３の側面に画像読取装置５を設置できるので、画像読取装置５の高さを調整することができ、例えば背の低い子供や車椅子の利用者でも、画像読取装置５の高さを低くすることで、画像読取装置５のパネル操作や原稿をセットする作業が容易である。また、画像形成装置本体３に形成した係合部９に被係合部１１を差し込むだけで画像読取装置５を画像形成装置本体３の隣りに設置できるので、別途にテーブルを用意する必要がなく、構成が簡易である。
【００２４】
画像読取装置５と画像形成装置本体３と一体になっているときには、被係合部１１が画像読取装置５内に収納されているので、画像読取装置５から被係合部１１が突出せず、外観が良いと共に被係合部１１が壁や周辺の機器等にぶつからず、邪魔にならない。
【００２５】
係合部９を画像形成装置本体３の上下方向に複数備えているので、被係合部１１が係合する係合部９の位置を変えることで、画像読取装置５の高さを変えることができ、ユーザが操作し易い高さに自在にできる。
【００２６】
脚１３にキャスタ１５を設けているので、画像読取装置５を画像形成装置本体３の側面に設置した際に画像形成装置本体３と画像読取装置５とを一緒の移動させることができる。
【００２７】
なお、本発明は上述した実施の形態に限定されず、その要旨を逸脱しない範囲で種々の変形が可能である。
【００２８】
図５に示すように、被係合部１１は回動軸を中心に略１８０度回動させることによって、被係合部１１を画像読取装置５内から引き出すようにしても良い。
【００２９】
図６に示すように、脚１３は回動軸を中心に略９０度回動させることによって、脚１３を画像読取装置５内から引き出すようにしても良い。
【００３０】
図７に示すように、係合部９を画像形成装置本体３側面の上下方向に連続する溝にし、溝の任意の位置で被係合部１１を止めて、画像読取装置５の高さを自由に調整できるようにしても良い。被係合部１１を止める場合、溝内にピンを差し込んだり、被係合部１１にばねを設け、ばねの付勢力で被係合部１１を止めるようにしても良い。
【図面の簡単な説明】
【００３１】
【図１】本実施の形態に係る画像形成装置全体を示す斜視図である。
【図２】画像形成装置本体と画像読取装置とを分離して設置した状態を示す斜視図である。
【図３】図１に示す画像読取装置の被係合部を示す斜視図である。
【図４】図１に示す画像読取装置の脚を示す斜視図である。
【図５】変形例に係る画像読取装置の被係合部を示す斜視図である。
【図６】変形例に係る画像読取装置の脚を示す斜視図である。
【図７】変形例に係る画像形成装置本体の係合部を示す斜視図である。
【符号の説明】
【００３２】
１      画像形成装置
３      画像形成装置本体
５      画像読取装置
９      係合部
１１    被係合部
１３    脚
１５    キャスタ
【図１】
2006113422.tif 000003
【図２】
2006113422.tif 000004
【図３】
2006113422.tif 000005
【図４】
2006113422.tif 000006
【図５】
2006113422.tif 000007
【図６】
2006113422.tif 000008
【図７】
2006113422.tif 000009